(57)【要約】【課題】作業者による組み換え接続作業を不要とし、工数の削減や接続作業ミスの発生を防ぐことが可能な双方向信号伝送装置を提供する。【解決手段】電気入力端子２と光出力端子３とを備えるＥ／Ｏ変換器４と、光入力端子５と電気出力端子６とを備えるＯ／Ｅ変換器７と、電気入出力端子８と、電気入出力端子８と電気入力端子２または電気出力端子６との間を切り替える切替器９とを有するＩ／Ｏ端末２１〜２８または３１〜３９と切替器９を制御する制御回路２９または３９とを備える送受信装置２０および送受信装置３０と、送信光信号を伝送する信号用光伝送路４０と、制御用光信号を伝送する制御用光伝送路４１とを有する。制御回路２９、３９は、一方の送受信装置のＩ／Ｏ端末が送信端末として機能するときは該Ｉ／Ｏ端末からの送信光信号が入力するＩ／Ｏ端末の電気入出力端子が電気出力端子に接続されるように制御する。【選択図】図１
2018182381.tif 000002
【特許請求の範囲】
【請求項１】
送信電気信号を入力する電気入力端子と送信光信号を出力する光出力端子とを備えるＥ／Ｏ変換器と、受信光信号を入力する光入力端子と受信電気信号を出力する電気出力端子とを備えるＯ／Ｅ変換器と、電気入出力端子と、該電気入出力端子と前記電気入力端子または前記電気出力端子との間の接続を切り替える切替器とを有するＩ／Ｏ端末をそれぞれ複数個備え、前記切替器を制御する制御回路をそれぞれ備える第１の送受信装置および第２の送受信装置とを有し、
前記第１の送受信装置と前記第２の送受信装置との間を接続して前記送信光信号を伝送する信号用光伝送路と、前記第１の送受信装置と前記第２の送受信装置との間を接続して前記制御回路の制御情報を含む制御用光信号を伝送する制御用光伝送路とを有し、
前記制御回路は、前記第１の送受信装置と前記第２の送受信装置の一方の送受信装置の前記Ｉ／Ｏ端末の前記電気入出力端子が前記電気入力端子に接続されるときは、該電気入力端子を有するＥ／Ｏ変換器から出力される送信光信号が伝送されて入力するＯ／Ｅ変換器を有する他方の送受信装置の前記Ｉ／Ｏ端末の前記電気入出力端子が前記電気出力端子に接続されるように制御することを特徴とする双方向信号伝送装置。
【請求項２】
前記信号用光伝送路は、前記第１の送受信装置と前記第２の送受信装置との間に設置された複数本の光ファイバを有し、それぞれ異なる光ファイバを用いて、前記第１の送受信装置の前記複数のＩ／Ｏ端末の前記光出力端子からの前記送信光信号を前記第２の送受信装置の前記複数のＩ／Ｏ端末の前記光入力端子に伝送し、前記第２の送受信装置の前記複数のＩ／Ｏ端末の前記光出力端子からの前記送信光信号を前記第１の送受信装置の前記複数のＩ／Ｏ端末の前記光入力端子に伝送することを特徴とする請求項１に記載の双方向信号伝送装置。
【請求項３】
前記第１の送受信装置および前記第２の送受信装置において、前記複数のＩ／Ｏ端末の前記光出力端子からの前記送信光信号はそれぞれ異なる波長を有する光信号であり、これらの光信号はそれぞれの送受信装置において合波器により波長多重されて前記信号用光伝送路に出力されて他方の送受信装置に伝送され、
前記第１の送受信装置および前記第２の送受信装置において、前記の他方の送受信装置から伝送され入力された波長多重された送信光信号は分波器により分波されて前記受信光信号としてそれぞれ異なる前記Ｉ／Ｏ端末の前記光入力端子に入力されることを特徴とする請求項１に記載の双方向信号伝送装置。
【請求項４】
前記第１の送受信装置から出力される波長多重された前記送信光信号と前記第２の送受信装置から出力される波長多重された前記送信光信号とはそれぞれ異なる波長領域を有し、
前記前記第１の送受信装置および前記第２の送受信装置において、前記合波器と前記分波器は出力する前記送信光信号を合波し、かつ、入力される前記送信光信号を分波する単一の合分波器であり、
前記信号用光伝送路は１本の光ファイバを双方向伝送路として用いることを特徴とする請求項３に記載の双方向信号伝送装置。
【請求項５】
前記制御用光信号は前記第１の送受信装置と前記第２の送受信装置においてそれぞれ異なる波長を有し、該異なる波長を合波および分波する合分波器を前記第１の送受信装置および前記第２の送受信装置にそれぞれ備え、前記制御用光伝送路は１本の光ファイバを双方向伝送路として用いることを特徴とする請求項４に記載の双方向信号伝送装置。
【請求項６】
前記第１の送受信装置および前記第２の送受信装置は、それぞれ、手動により前記切替器の切り替えを行う能動操作手段と、該能動操作により前記制御用光信号を発生させる手段と、他方の送受信装置から伝送された制御用光信号を受信しその制御情報に基づいて前記切替器の切り替えを行う受動操作手段と、前記切替器の状態を表示する表示手段とを有することを特徴とする請求項１乃至５のいずれかに記載の双方向信号伝送装置。
【請求項７】
映像信号を含む信号が前記電気入出力端子に入力されることを特徴とする請求項６に記載の双方向信号伝送装置。
【発明の詳細な説明】
【技術分野】
【０００１】
本発明は、映像信号などを光信号に変換して送受信する信号伝送装置に関し、特に送信装置と受信装置を切り替えて送受信する双方向信号伝送装置に関する。
【背景技術】
【０００２】
映像信号を扱う放送局や様々な中継施設、監視施設、それらの制御システムなどでは、ＨＤや４Ｋなどの高精細映像が広く用いられるようになり、映像信号に必要な信号容量が増加している。また、離れた地点間の映像信号の送受信の必要性が増加しており、このような状況に対応するため、映像信号の伝送に光伝送路が使用されている。例えば、特許文献１には波長多重光信号を用いて、送信装置からそれぞれ異なる複数の映像信号を複数の映像表示機器に伝送するシステムが記載されている。特許文献２では波長多重光信号を用いて複数の映像信号を要求された映像端末装置に選択的に切り替えて配信するシステムが記載されている。
【０００３】
映像信号は様々の規格のＳＤＩ（シリアル・デジタル・インターフェイス）信号やＮＴＳＣ信号等により伝送されている。例えば、映像信号に必要な信号容量により、ＳＤ−ＳＤＩ信号、ＨＤ−ＳＤＩ信号、３Ｇ−ＳＤＩ信号、１２Ｇ−ＳＤＩ信号等が選択される。大きな容量が必要な４Ｋ映像信号の場合には、３Ｇ−ＳＤＩ信号を４チャンネル使用して伝送されている。
【先行技術文献】
【特許文献】
【０００４】
【特許文献１】特開２０１０−１６６３５３号公報
【特許文献２】特開２００７−１２４５９７号公報
【発明の概要】
【発明が解決しようとする課題】
【０００５】
映像信号を扱う放送局や撮影現場、中継施設などでは、映像信号の伝送は撮影現場等から放送局に向かう一方向の伝送だけでなく、放送局で選択された映像信号を放送局から撮影現場等へ送り返すことが行われている。このような場合にも大きな容量の映像信号の場合、複数の信号伝送チャンネルを使用している。
【０００６】
上記のように、映像信号の伝送には双方向の伝送が必要であるので、従来のシステムでは放送局や撮影現場等の両方に送信装置と受信装置が複数台組込まれた送受信装置を備えている。さらに、送信する映像信号の数と受信する映像信号の数はその時の状況によって変わるので、従来はそれらの装置担当者が、放送局、撮影現場等でそれぞれ送信装置と受信装置を組み替える作業を行っていた。また、上記のように映像信号の容量により使用する伝送チャンネル数も変わるので、これらの接続作業には光ファイバの精密な接続作業も含まれ、多くの工数を要し、接続作業ミスを生じやすいという問題もあった。
【０００７】
そこで、本発明の目的は、上記の課題を解決し、映像信号等の信号を光伝送により送受信する際に送信装置および受信装置の作業者による組み換え接続作業を不要とし、工数の削減や接続作業ミスの発生を防ぐことが可能な双方向信号伝送装置を提供することにある。
【課題を解決するための手段】
【０００８】
上記課題を解決するため、第１の観点では、本発明による双方向信号伝送装置は、送信電気信号を入力する電気入力端子と送信光信号を出力する光出力端子とを備えるＥ／Ｏ変換器と、受信光信号を入力する光入力端子と受信電気信号を出力する電気出力端子とを備えるＯ／Ｅ変換器と、電気入出力端子と、該電気入出力端子と前記電気入力端子または前記電気出力端子との間の接続を切り替える切替器とを有するＩ／Ｏ端末をそれぞれ複数個備え、前記切替器を制御する制御回路をそれぞれ備える第１の送受信装置および第２の送受信装置とを有し、前記第１の送受信装置と前記第２の送受信装置との間を接続して前記送信光信号を伝送する信号用光伝送路と、前記第１の送受信装置と前記第２の送受信装置との間を接続して前記制御回路の制御情報を含む制御用光信号を伝送する制御用光伝送路とを有し、前記、制御回路は、前記第１の送受信装置と前記第２の送受信装置の一方の送受信装置の前記Ｉ／Ｏ端末の前記電気入出力端子が前記電気入力端子に接続されるときは、該電気入力端子を有するＥ／Ｏ変換器から出力される送信光信号が伝送されて入力するＯ／Ｅ変換器を有する他方の送受信装置の前記Ｉ／Ｏ端末の前記電気入出力端子が前記電気出力端子に接続されるように制御することを特徴とする。
【０００９】
上記のように、本発明においては、映像信号等の送受信装置として、Ｅ／Ｏ変換器とＯ／Ｅ変換器とを備えたＩ／Ｏ端末をそれぞれ複数個備える第１の送受信装置と第２の送受信装置とを有しており、例えば、この第１または第２の送受信装置の一方が放送局に置かれ他方が撮影現場等に置かれる。それぞれのＩ／Ｏ端末においては、Ｅ／Ｏ変換器の送信電気信号を入力する電気入力端子とＯ／Ｅ変換器の受信電気信号を出力する電気出力端子のいずれかが、外部の電気機器との間のインターフェイスとなる電気入出力端子に接続される。この電気入出力端子と電気入力端子または電気出力端子との間の接続の切り替えが各Ｉ／Ｏ端末に備えた切替器によって行われ、この切替器は第１の送受信装置および第２の送受信装置にそれぞれ備えた制御回路によって制御される。また、第１または第２の送受信装置の一方からの送信光信号は信号用光伝送路により他方の送受信装置に伝送される。さらに、制御回路の制御情報を含む制御用光信号が制御用光伝送路により第１および第２の送受信装置間を伝送されて、両者の制御回路が統一的に制御される。この制御においては、第１または第２の送受信装置の一方のいずれかのＩ／Ｏ端末の電気入出力端子が電気入力端子に接続されるとき、すなわち、Ｅ／Ｏ変換器に映像信号等が入力されてＥ／Ｏ変換器から送信光信号が出力されるときは、その送信光信号が伝送されて入力する他方の送受信装置のＩ／Ｏ端末のＯ／Ｅ変換器の電気出力端子が電気入出力端子に接続されるようにする。
【００１０】
このように、本発明においては、第１および第２の送受信装置は送信装置および受信装置の両者の機能を有している。それぞれの送受信装置において、Ｉ／Ｏ端末ごとに伝送チャンネルを設定すると、その伝送チャンネルを送信端末として使用するか受信端末として使用するかは切替器とその制御回路により選択可能である。このとき、一方の送受信装置において、いずれかのＩ／Ｏ端末の電気入出力端子が電気入力端子に接続され送信端末として選択されたとき、その端末から送信された送信光信号が伝送されて入力する他方のＩ／Ｏ端末は、自動的に受信端末として電気出力端子が電気入出力端子に接続されるよう制御されるので、作業者による接続作業が不要となり、接続作業ミスの発生を防ぐことが可能となる。
【００１１】
なお、本発明においては、Ｅ／Ｏ変換器とＯ／Ｅ変換器とそれらの切替器を備えた上記の構成のＩ／Ｏ端末を第１の送受信装置および第２の送受信装置にそれぞれ複数個有していればよく、このような構成のＩ／Ｏ端末以外に、送信機能のみを有するＥ／Ｏ変換器や受信機能のみを有するＯ／Ｅ変換器を第１の送受信装置または第２の送受信装置に備えていてもよい。また、本発明のＩ／Ｏ端末に使用するＥ／Ｏ変換器およびＯ／Ｅ変換器としては、様々な規格の映像信号に対応可能なデバイスや、映像信号以外の信号に対応可能なデバイスを用いることができる。
【００１２】
第２の観点では、本発明は、前記第１の観点の双方向信号伝送装置において、前記信号用光伝送路は、前記第１の送受信装置と前記第２の送受信装置との間に設置された複数本の光ファイバを有し、それぞれ異なる光ファイバを用いて、前記第１の送受信装置の前記複数のＩ／Ｏ端末の前記光出力端子からの前記送信光信号を前記第２の送受信装置の前記複数のＩ／Ｏ端末の前記光入力端子に伝送し、前記第２の送受信装置の前記複数のＩ／Ｏ端末の前記光出力端子からの前記送信光信号を前記第１の送受信装置の前記複数のＩ／Ｏ端末の前記光入力端子に伝送することを特徴とする。本観点の発明では、第１および第２の送受信装置のＩ／Ｏ端末間の送信光信号の伝送はそれぞれ異なる光ファイバを用いた並列伝送である。複数本の伝送用光ファイバが必要ではあるが、光信号の合波や分波が不要であるので取り扱いや制御が容易である。
【００１３】
第３の観点では、本発明は、前記第１の観点の双方向信号伝送装置において、前記第１の送受信装置および前記第２の送受信装置において、前記複数のＩ／Ｏ端末の前記光出力端子からの前記送信光信号はそれぞれ異なる波長を有する光信号であり、これらの光信号はそれぞれの送受信装置において合波器により波長多重されて前記信号用光伝送路に出力されて他方の送受信装置に伝送され、前記第１の送受信装置および前記第２の送受信装置において、前記の他方の送受信装置から伝送され入力された波長多重された送信光信号は分波器により分波されて前記受信光信号としてそれぞれ異なる前記Ｉ／Ｏ端末の前記光入力端子に入力されることを特徴とする。本観点の発明では、第１の送受信装置および第２の送受信装置のそれぞれにおいて、各Ｉ／Ｏ端末の送信光信号をまとめて１つの波長多重光信号として出力することにより、各々の送受信装置からの信号用光伝送路は各々１本の光ファイバで対応することができる。
【００１４】
第４の観点では、本発明は、前記第３の観点の双方向信号伝送装置において、前記第１の送受信装置から出力される波長多重された前記送信光信号と前記第２の送受信装置から出力される波長多重された前記送信光信号とはそれぞれ異なる波長領域を有し、前記第１の送受信装置および前記第２の送受信装置において、前記合波器と前記分波器は出力する前記送信光信号を合波し、かつ、入力される前記送信光信号を分波する単一の合分波器であり、前記信号用光伝送路は１本の光ファイバを双方向伝送路として用いることを特徴とする。
【００１５】
本観点の発明では、第１の送受信装置のＮ個（ここでＮは２以上の整数）のＩ／Ｏ端末の送信光信号の波長をλ１〜λＮとし、第２の送受信装置のＭ個（ここでＭは２以上の整数）のＩ／Ｏ端末の送信光信号の波長をλＮ＋１〜λＮ＋Ｍとして、λ１〜λＮ＋Ｍの波長を互いに異なる波長とする。これらのλ１〜λＮ＋Ｍの波長の送信光信号は単一の合分波器で合波または分波される。これにより、信号用光伝送路は１本の光ファイバを双方向伝送路として用いることができる。なお、Ｎ＝Ｍの場合、第１の送受信装置および第２の送受信装置において、各Ｉ／Ｏ端末の光入力端子には常に他方の送受信装置のＩ／Ｏ端末からの送信光信号が入力されるように設定可能である。ＮとＭが異なる場合は、第１の送受信装置または第２の送受信装置において、Ｉ／Ｏ端末以外に送信機能のみを有するＥ／Ｏ変換器や受信機能のみを有するＯ／Ｅ変換器を有することとなる。
【００１６】
第５の観点では、本発明は、前記第４の観点の双方向信号伝送装置において、前記制御用光信号は前記第１の送受信装置と前記第２の送受信装置においてそれぞれ異なる波長を有し、該異なる波長を合波および分波する合分波器を前記第１の送受信装置および前記第２の送受信装置にそれぞれ備え、前記制御用光伝送路は１本の光ファイバを双方向伝送路として用いることを特徴とする。例えば、第１の送受信装置では制御用光信号の波長を１．３１μｍ、第２の送受信装置では制御用光信号の波長を１．５５μｍとすることができる。本観点の発明では、制御用光伝送路と信号用光伝送路はそれぞれ１本の光ファイバを双方向伝送路として用いることができるので、２本の光ファイバと電気信号線とを内蔵した一般的に使用されているカメラケーブルを用いて第１の送受信装置と第２の送受信装置との間を接続することが可能となり、本発明の双方向信号伝送装置をより低コストで構成することが可能となる。
【００１７】
第６の観点では、本発明は、前記第１乃至第５の観点の双方向信号伝送装置において、前記第１の送受信装置および前記第２の送受信装置は、それぞれ、手動により前記切替器の切り替えを行う能動操作手段と、該能動操作により前記制御用光信号を発生させる手段と、他方の送受信装置から伝送された制御用光信号を受信しその制御情報に基づいて前記切替器の切り替えを行う受動操作手段と、前記切替器の状態を表示する表示手段とを有することを特徴とする。
【００１８】
切替器の制御は第１の送受信装置と第２の送受信装置の間で統一的に行う必要があり、何れのＩ／Ｏ端末を送信端末とし、何れのＩ／Ｏ端末を受信端末とするかを外部の装置で決定することも可能であるが、本発明では、第１の送受信装置および第２の送受信装置の作業者が決定できるように、それぞれ、手動により前記切替器の切り替えを行う能動操作手段を備えている。この能動操作手段は、例えば当該送受信装置に備えたレバーや押しボタン式のスイッチ、制御線や無線、マイクロ波、光波を利用したリモートコントロール、音声認識による操作等、様々な方式による操作が可能である。一方の送受信装置でこの能動操作を行うことにより他方の送受信装置では伝送された制御用光信号を受信し、その制御情報に基づいて制御回路により切り替えが行われる。また、各Ｉ／Ｏ端末の状態は、例えばＬＥＤランプや液晶表示画面などの表示手段により作業者が認識することができる。
【００１９】
第７の観点では、本発明は、前記第６の観点の双方向信号伝送装置において、映像信号を含む信号が前記電気入出力端子に入力されることを特徴とする。
【発明の効果】
【００２０】
上記のように、本発明により、映像信号等の信号を光伝送により送受信する際に送信装置および受信装置の作業者による組み換え接続作業を不要とし、工数の削減や接続作業ミスの発生を防ぐことが可能な双方向信号伝送装置が得られる。
【図面の簡単な説明】
【００２１】
【図１】実施例１に係る双方向信号伝送装置の構成図。
【図２】制御回路の一例を示すブロック構成図。
【図３】実施例２に係る双方向信号伝送装置の構成図。
【発明を実施するための形態】
【００２２】
以下、図面を参照して本発明双方向送受信装置を実施例により詳細に説明する。なお、図面の説明において同一の要素には同一符号を付し、その重複した説明を省略する。
【実施例１】
【００２３】
図１は実施例１に係る双方向信号伝送装置の構成図である。図１において、本実施例の双方向信号伝送装置１０は、第１の送受信装置である送受信装置２０と第２の送受信装置である送受信装置３０とを有している。送受信装置２０は８個のＩ／Ｏ端末２１〜２８を備え、送受信装置３０は８個のＩ／Ｏ端末３１〜３８を備えている。また、各Ｉ／Ｏ端末２１〜２８、３１〜３８は、送信電気信号を入力する電気入力端子２と送信光信号を出力する光出力端子３とを備えるＥ／Ｏ変換器４と、受信光信号を入力する光入力端子５と受信電気信号を出力する電気出力端子６とを備えるＯ／Ｅ変換器７とを備えている。さらに、各Ｉ／Ｏ端末２１〜２８、３１〜３８は、外部の電気機器との間のインターフェイスとなる電気入出力端子８を備え、この電気入出力端子８と電気入力端子２または電気出力端子６との間の接続を切り替える切替器９を有している。また、送受信装置２０は各Ｉ／Ｏ端末２１〜２８の切替器９を制御する制御回路２９を備え、送受信装置３０は各Ｉ／Ｏ端末３１〜３８の切替器９を制御する制御回路３９を備えている。
【００２４】
送受信装置２０と送受信装置３０との間には送信光信号を伝送する信号用光伝送路４０と、制御回路２９、３９の制御情報を含む制御用光信号を伝送する制御用光伝送路４１とを備えている。
【００２５】
また、本実施例においては、送受信装置２０のＩ／Ｏ端末２１〜２８の光出力端子３から出力する送信光信号はそれぞれ異なる波長λ１〜λ８を有する光信号であり、これらの光信号は合分波器４２により波長多重されて信号用光伝送路４０に出力される。この波長多重された送信光信号は送受信装置３０において合分波器４３により分波されて受信光信号としてそれぞれＩ／Ｏ端末３１〜３８の光入力端子５に入力される。一方、送受信装置３０のＩ／Ｏ端末３１〜３８の光出力端子３から出力する送信光信号もそれぞれ異なる波長λ９〜λ１６を有する光信号であり、これらの光信号は合分波器４３により波長多重されて信号用光伝送路４０に出力される。この波長多重された送信光信号は送受信装置２０において合分波器４３により分波されて受信光信号としてそれぞれＩ／Ｏ端末２１〜２８の光入力端子５に入力される。
【００２６】
さらに、本実施例においては、送受信装置２０から出力される波長多重された送信光信号の波長λ１〜λ８と送受信装置３０から出力される波長多重された送信光信号の波長λ９〜λ１６とはそれぞれ異なる波長領域を有し、合分波器４２および４３は、それぞれ出力する送信光信号を合波し、かつ、入力される送信光信号を分波する機能を有する合分波器である。波長λ１〜λ１６の一例としては、例えば、１．２７μｍ〜１．６１μｍの波長帯において２０ｎｍの波長間隔で順番に並んだ波長とすることができる。
【００２７】
また、送受信装置２０において制御回路２９からの信号によりＥ／Ｏ変換器４４を介して出力される制御用光信号の波長は１．３１μｍ、送受信装置３０において制御回路３９からの信号によりＥ／Ｏ変換器４５を介して出力される制御用光信号の波長は１．５５μｍであり、それぞれ合分波器４６および４７により分離される。これらの制御用光信号は１本の光ファイバである制御用光伝送路４１により双方向に伝送される。  
【００２８】
ここで、制御回路２９および３９は、送受信装置２０のＩ／Ｏ端末２１〜２８のいずれかの電気入出力端子８が電気入力端子２に接続されるときは、その電気入力端子２を有するＥ／Ｏ変換器４から光出力端子３を介して出力される送信光信号が信号用光伝送路４０により伝送されて入力する光入力端子５を有する送受信装置３０のＩ／Ｏ端末の電気出力端子６が電気入出力端子８に接続されるように制御する。一方、送受信装置３０から出力される送信光信号が入力する第１の送受信装置２０のＩ／Ｏ端末の電気出力端子６も電気入出力端子８に接続されるように制御する。
【００２９】
この制御状態の一例が図１に示されている。図１においては、送受信装置２０のＩ／Ｏ端末２１〜２４の電気入出力端子８が電気入力端子２に接続され、電気入出力端子８から入力する映像信号等がＥ／Ｏ変換器４により光信号に変換される。すなわち、Ｉ／Ｏ端末２１〜２４が送信端末として機能し、それらの波長λ１〜λ４を有する送信光信号が波長多重されて信号用光伝送路４０に出力される。一方、送受信装置３０のＩ／Ｏ端末３５〜３８の電気入出力端子８が電気入力端子２に接続され、それらのＩ／Ｏ端末が送信端末として機能し、それらの波長λ１３〜λ１６を有する送信光信号が信号用光伝送路４０に出力される。また、送受信装置２０においては、伝送された波長λ１３〜λ１６を有する送信光信号はそれぞれＩ／Ｏ端末２５〜２８の光入力端子５に入力され、送受信装置３０においては、伝送された波長λ１〜λ４を有する送信光信号はそれぞれＩ／Ｏ端末３１〜３４の光入力端子５に入力される。すなわち、Ｉ／Ｏ端末２５〜２８、Ｉ／Ｏ端末３１〜３４が受信端末として機能している。これらの送信光信号はＯ／Ｅ変換器７により電気信号に変換され、その電気出力端子６が電気入出力端子８に接続されて映像表示装置等の外部の装置に出力される。
【００３０】
本実施例において、図１の接続状態は一例であり、いずれのＩ／Ｏ端末も送信端末として機能させるか受信端末として機能させるかを選択可能である。例えば、送受信装置２０のＩ／Ｏ端末２１〜２８または送受信装置３０のＩ／Ｏ端末３１〜３８のいずれか一方をすべて送信端末として機能させることも可能である。
【００３１】
本実施例において、送受信装置２０および送受信装置３０は、それぞれ、手動により切替器９の切り替えを行う能動操作手段を備えている。図２は制御回路２９の一例を示すブロック構成図である。制御回路３９も同様の構成である。内蔵のマイクロコンピュータ５０により制御を行う。作業者は押しボタン型のスイッチ等により切替器９を操作してＩ／Ｏ端末２１〜２９のいずれかを送信端末として設定した場合、その能動操作信号がマイクロコンピュータ５０の制御信号発生部５１に入力されて制御信号を発生し、Ｅ／Ｏ変換器４４において制御用光信号に変換され、送受信装置３０の制御回路３９に伝送される。また、制御信号発生部５１からは表示制御部５２に信号が送られて、各Ｉ／Ｏ端末に設けられたＬＥＤの点灯信号を発生させ、当該Ｉ／Ｏ端末が送信端末として設定されていることをＬＥＤにより表示する。なお、切替器９としては信号速度に対応した一般的なリレーやスイッチング素子を用いることができる。また、切替器９の切り替えは外部接点信号でも同様な操作ができる。
【００３２】
送受信装置２０は、送受信装置３０のＩ／Ｏ端末３１〜３８のいずれかが送信端末として設定されたことを示す制御用光信号をＯ／Ｅ変換器４８を介して受信した場合、その制御信号に基づいて切替器９の切り替えを行う受動操作手段を有している。上記の受信された制御用光信号はマイクロコンピュータ５０の切替信号発生部５３に入力され、上記の送信端末として設定されたＩ／Ｏ端末からの送信光信号が入力するＩ／Ｏ端末の切替器９を駆動して当該Ｉ／Ｏ端末を受信端末に設定するための切替信号を発生する。同時に、表示制御部５２に信号が送られて、送信端末であることを表示するＬＥＤの消灯信号、または受信端末であることを表示するＬＥＤの点灯信号を発生させる。
【実施例２】
【００３３】
図３は実施例２に係る双方向信号伝送装置の構成図である。図３において、本実施例の双方向信号伝送装置６０は、第１の送受信装置である送受信装置７０と第２の送受信装置である送受信装置８０とを有している。送受信装置７０は２個のＩ／Ｏ端末７１、７２を備え、送受信装置８０は２個のＩ／Ｏ端末８１、８２を備えている。また、各Ｉ／Ｏ端末７１、７２、８１、８２は、実施例１のＩ／Ｏ端末と同様に、送信電気信号を入力する電気入力端子２と送信光信号を出力する光出力端子３とを備えるＥ／Ｏ変換器４と、受信光信号を入力する光入力端子５と受信電気信号を出力する電気出力端子６とを備えるＯ／Ｅ変換器７と、電気入出力端子８を備え、この電気入出力端子８と電気入力端子２または電気出力端子６との間の接続を切り替える切替器９を有している。また、送受信装置７０は各Ｉ／Ｏ端末７１、７２の切替器９を制御する制御回路７９を備え、送受信装置８０は各Ｉ／Ｏ端末８１、８２の切替器９を制御する制御回路８９を備えている。
【００３４】
本実施例においては、送受信装置７０のＩ／Ｏ端末７１、７２の光出力端子３から出力する送信光信号はそれぞれ異なる波長λ１、λ２を有する光信号であり、これらの光信号は合波器７３により波長多重されて信号用光伝送路７４に出力される。この波長多重された送信光信号は送受信装置８０において分波器８５により分波されて受信光信号としてそれぞれＩ／Ｏ端末８１、８２の光入力端子５に入力される。一方、送受信装置８０のＩ／Ｏ端末８１、８２の光出力端子３から出力する送信光信号もそれぞれ波長λ１、λ２を有する光信号であり、これらの光信号は合波器８３により波長多重されて信号用光伝送路８４に出力される。この波長多重された送信光信号は送受信装置７０において分波器７５により分波されて受信光信号としてそれぞれＩ／Ｏ端末７１、７２の光入力端子５に入力される。本実施例では信号用光伝送路として２本の光ファイバを用いている。
【００３５】
また、本実施例において、送受信装置７０の制御回路７９と送受信装置８０の制御回路８９との間の信号伝送手段は実施例１と同様であり、制御回路７９からの信号によりＥ／Ｏ変換器４４を介して出力される制御用光信号の波長は１．３１μｍ、制御回路８９からの信号によりＥ／Ｏ変換器４５を介して出力される制御用光信号の波長は１．５５μｍであり、それぞれ合分波器４６および４７により分離される。これらの制御用光信号は１本の光ファイバである制御用光伝送路４１により双方向に伝送される。
【００３６】
なお、送信光信号の波長λ１、λ２をそれぞれ１．３１μｍ、１．５１μｍとすれば、合波器７３、８３、分波器７５、８５として、制御用の合分波器４６、４７と同様のデバイスを用いることができる。
【００３７】
制御回路７９および８９は、送受信装置７０のＩ／Ｏ端末７１、７２のいずれかの電気入出力端子８が電気入力端子２に接続されるときは、その電気入力端子２を有するＥ／Ｏ変換器４から光出力端子５を介して出力される送信光信号が信号用光伝送路７４により伝送されて入力する光入力端子５を有する送受信装置８０のＩ／Ｏ端末の電気出力端子６が電気入出力端子８に接続されるように制御する。一方、送受信装置８０から出力される送信光信号が入力する送受信装置７０のＩ／Ｏ端末の電気出力端子６も電気入出力端子８に接続されるように制御する。
【００３８】
実施例１と同様に、本実施例においても、送受信装置７０および送受信装置８０は、それぞれ、手動により切替器９の切り替えを行う能動操作手段と、制御用光信号を受信した場合にその制御信号に基づいて切替器９の切り替えを行う受動操作手段とを有している。また、Ｉ／Ｏ端末７１、７２、８１、８２が送信端末として機能しているか受信端末として機能しているかを表示する表示手段も備えている。
【００３９】
なお、本発明は上記の実施例に限定されるものではないことは言うまでもなく、目的に応じて様々な変形が可能である。例えば、第１および第２の送受信装置は実施例に示した装置、回路以外に他の機器や回路、素子などを備えてもよい。第１の送受信装置と第２の送受信装置間において、実施例に示した信号以外の信号を伝送してもよく、他の信号伝送手段を有していてもよい。
【符号の説明】
【００４０】
２    電気入力端子
３    光出力端子
４、４４、４５    Ｅ／Ｏ変換器
５    光入力端子
６    電気出力端子
７、４８、４９    Ｏ／Ｅ変換器
８    電気入出力端子
９    切替器
１０、６０    双方向信号伝送装置
２０、３０、７０、８０  送受信装置
２１、２２、２３、２４、２５、２６、２７、２８、３１、３２、３３、３４、３５、３６、３７、３８、７１、７２、８１、８２      Ｉ／Ｏ端末
２９、３９、７９、８９    制御回路
４０、７４、８４    信号用光伝送路
４１    制御用光伝送路
４２、４３、４６、４７    合分波器
５０    マイクロコンピュータ
５１    制御信号発生部
５２    表示制御部
５３    切替信号発生部
７３、８３    合波器
７５、８５    分波器
【図１】
2018182381.tif 000003
【図２】
2018182381.tif 000004
【図３】
2018182381.tif 000005